(57)【要約】      （修正有）【課題】用途に合わせた大きさや形状の複数の刃体を容易に選択交替出来る、極めて商品価値の高い画期的な鋏を提供する。【解決手段】一対の棒状部材１，２夫々の先端部同士を枢着し、この先端枢着部３を支点に一方の棒状部材１の一側に位置している他方の棒状部材２を他側に位置するまで相対回動させることで反転し得る開閉操作部と、前記先端枢着部３よりも先端側に突出状態となり、前記開閉操作部の開閉操作により作動する挟持切断部６とから成る鋏であって、前記挟持切断部６は、前記先端枢着部３よりも先端側に突出状態となる第一挟持切断部６Ａと、前記開閉操作部を反転させた際、前記先端枢着部３よりも先端側に突出状態となる第二挟持切断部６Ｂとで構成されているものである。【選択図】        図８
2004313594.tif 000002
【特許請求の範囲】
【請求項１】
一対の棒状部材夫々の先端部同士を枢着し、この先端枢着部を支点に一方の棒状部材の一側に位置している他方の棒状部材を他側に位置するまで相対回動させることで反転し得る開閉操作部と、前記先端枢着部よりも先端側に突出状態となり、前記開閉操作部の開閉操作により作動する挟持切断部とから成る鋏であって、前記挟持切断部は、前記先端枢着部よりも先端側に突出状態となる第一挟持切断部と、前記開閉操作部を反転させた際、前記先端枢着部よりも先端側に突出状態となる第二挟持切断部とで構成されていることを特徴とする鋏。
【請求項２】
一対の棒状部材夫々の先端部同士を枢着し、この先端枢着部を支点に前記棒状部材を相対回動させつつ棒状部材夫々の表裏が入れ替わるようにして反転し得る開閉操作部と、前記先端枢着部よりも先端側に突出状態となり、前記開閉操作部の開閉操作により作動する挟持切断部とから成る鋏であって、前記挟持切断部は、前記先端枢着部よりも先端側に突出状態となる第一挟持切断部と、前記開閉操作部を反転させた際、前記先端枢着部よりも先端側に突出状態となる第二挟持切断部とで構成されていることを特徴とする鋏。
【請求項３】
一対の棒状部材夫々の先端部同士を枢着し、この先端枢着部を支点に一方の棒状部材の一側に位置している他方の棒状部材を他側に位置するまで相対回動させることで反転し得る開閉操作部と、前記先端枢着部に一対の刃板を重合枢着することで前記先端枢着部よりも先端側に突出状態となり、前記開閉操作部の開閉操作により作動する挟持切断部とから成る鋏であって、前記挟持切断部は、前記刃板夫々の一端部が前記先端枢着部よりも先端側に突出状態となることで形成される第一挟持切断部と、前記開閉操作部を反転させた際、前記刃板夫々の他端部が前記先端枢着部よりも先端側に突出状態となることで形成される第二挟持切断部とで構成されていることを特徴とする鋏。
【請求項４】
一対の棒状部材夫々の先端部同士を枢着し、この先端枢着部を支点に前記棒状部材を相対回動させつつ棒状部材夫々の表裏が入れ替わるようにして反転し得る開閉操作部と、前記先端枢着部に一対の刃板を重合枢着することで前記先端枢着部よりも先端側に突出状態となり、前記開閉操作部の開閉操作により作動する挟持切断部とから成る鋏であって、前記挟持切断部は、前記刃板夫々の一端部が前記先端枢着部よりも先端側に突出状態となることで形成される第一挟持切断部と、前記開閉操作部を反転させた際、前記刃板夫々の他端部が前記先端枢着部よりも先端側に突出状態となることで形成される第二挟持切断部とで構成されていることを特徴とする鋏。
【請求項５】
前記開閉操作部の先端枢着部に一対の刃板同士を交叉状態で重合枢着し、この刃板夫々の一端部にして対向する刃縁により前記第一挟持切断部が構成され、一方、刃板夫々の他端部にして対向する刃縁により前記第二挟持切断部が構成されていることを特徴とする請求項３，４のいずれか１項に記載の鋏。
【請求項６】
前記第一挟持切断部と第二挟持切断部とを異なる用途に応じた形状としたことを特徴とする請求項１〜５のいずれか１項に記載の鋏。
【発明の詳細な説明】
【０００１】
【発明の属する技術分野】
本発明は、鋏に関するものである。
【０００２】
【従来の技術及び発明が解決しようとする課題】
従来から、一対の棒状部材夫々の先端部同士を枢着して成る開閉操作部と、この開閉操作部の先端枢着部よりも先端側に突出状態となり、開閉操作部の開閉操作により作動する挟持切断部とから成る鋏であって、例えば園芸用の鋏には、枝切り用の鋏や剪定用の鋏など、その用途に合わせた大きさや形状の挟持切断部を具備した鋏が種々提案されている。
【０００３】
ところで、実際の作業場面においては、当然これらの用途に合わせた専用の鋏を複数用意しなければならず（庭の手入れであれば枝切り用の鋏と剪定用の鋏の少なくとも２つ用意しなければならない）、よって、移動の際や作業の際に非常に煩わしいとされ、しかも、例えば背の高い木を手入れする際など、梯子に登って行う作業では、使用しない他の鋏は腰部に携帯するようにしているが、万一梯子から落下した場合のことなどを考えると非常に危険である。
【０００４】
本出願人は、上述した問題点に着目し、種々の実験・研究を重ねた結果、極めて商品価値の高い画期的な鋏を開発した。
【０００５】
【課題を解決するための手段】
添付図面を参照して本発明の要旨を説明する。
【０００６】
一対の棒状部材１，２夫々の先端部同士を枢着し、この先端枢着部３を支点に一方の棒状部材１の一側に位置している他方の棒状部材２を他側に位置するまで相対回動させることで反転し得る開閉操作部７と、前記先端枢着部３よりも先端側に突出状態となり、前記開閉操作部７の開閉操作により作動する挟持切断部６とから成る鋏であって、前記挟持切断部６は、前記先端枢着部３よりも先端側に突出状態となる第一挟持切断部６Ａと、前記開閉操作部７を反転させた際、前記先端枢着部３よりも先端側に突出状態となる第二挟持切断部６Ｂとで構成されていることを特徴とする鋏に係るものである。
【０００７】
また、一対の棒状部材１，２夫々の先端部同士を枢着し、この先端枢着部３を支点に前記棒状部材１，２を相対回動させつつ棒状部材１，２夫々の表裏が入れ替わるようにして反転し得る開閉操作部７と、前記先端枢着部３よりも先端側に突出状態となり、前記開閉操作部７の開閉操作により作動する挟持切断部６とから成る鋏であって、前記挟持切断部６は、前記先端枢着部３よりも先端側に突出状態となる第一挟持切断部６Ａと、前記開閉操作部７を反転させた際、前記先端枢着部３よりも先端側に突出状態となる第二挟持切断部６Ｂとで構成されていることを特徴とする鋏に係るものである。
【０００８】
また、一対の棒状部材１，２夫々の先端部同士を枢着し、この先端枢着部３を支点に一方の棒状部材１の一側に位置している他方の棒状部材２を他側に位置するまで相対回動させることで反転し得る開閉操作部７と、前記先端枢着部３に一対の刃板４，５を重合枢着することで前記先端枢着部３よりも先端側に突出状態となり、前記開閉操作部７の開閉操作により作動する挟持切断部６とから成る鋏であって、前記挟持切断部６は、前記刃板４，５夫々の一端部が前記先端枢着部３よりも先端側に突出状態となることで形成される第一挟持切断部６Ａと、前記開閉操作部７を反転させた際、前記刃板４，５夫々の他端部が前記先端枢着部３よりも先端側に突出状態となることで形成される第二挟持切断部６Ｂとで構成されていることを特徴とする鋏に係るものである。
【０００９】
また、一対の棒状部材１，２夫々の先端部同士を枢着し、この先端枢着部３を支点に前記棒状部材１，２を相対回動させつつ棒状部材１，２夫々の表裏が入れ替わるようにして反転し得る開閉操作部７と、前記先端枢着部３に一対の刃板４，５を重合枢着することで前記先端枢着部３よりも先端側に突出状態となり、前記開閉操作部７の開閉操作により作動する挟持切断部６とから成る鋏であって、前記挟持切断部６は、前記刃板４，５夫々の一端部が前記先端枢着部３よりも先端側に突出状態となることで形成される第一挟持切断部６Ａと、前記開閉操作部７を反転させた際、前記刃板４，５夫々の他端部が前記先端枢着部３よりも先端側に突出状態となることで形成される第二挟持切断部６Ｂとで構成されていることを特徴とする鋏に係るものである。
【００１０】
また、前記開閉操作部７の先端枢着部３に一対の刃板４，５同士を交叉状態で重合枢着し、この刃板４，５夫々の一端部にして対向する刃縁４ａ，５ａにより前記第一挟持切断部６Ａが構成され、一方、刃板４，５夫々の他端部にして対向する刃縁４ｂ，５ｂにより前記第二挟持切断部６Ｂが構成されていることを特徴とする請求項３，４のいずれか１項に記載の鋏に係るものである。
【００１１】
また、前記第一挟持切断部６Ａと第二挟持切断部６Ｂとを異なる用途に応じた形状としたことを特徴とする請求項１〜５のいずれか１項に記載の鋏に係るものである。
【００１２】
【発明の実施の形態】
好適と考える本発明の実施の形態（発明をどのように実施するか）を、図面に基づいてその作用効果を示して簡単に説明する。
【００１３】
本発明は、使用に際し、開閉操作部７を開閉操作することで挟持切断部６により被切断物を切断することができる。
【００１４】
ところで、本発明は、開閉操作部７は、例えば先端枢着部３を支点に一方の棒状部材１の一側に位置している他方の棒状部材２を他側に位置するまで相対回動させることで反転し得る構成であり、前記挟持切断部６は、前記先端枢着部３よりも先端側に突出状態となる第一挟持切断部６Ａと、前記開閉操作部７を反転させた際、前記先端枢着部３よりも先端側に突出状態となる第二挟持切断部６Ｂとで構成されており、この第一挟持切断部６Ａと第二挟持切断部６Ｂとを必要に応じて切り替えて使用することができ極めて画期的である。
【００１５】
即ち、例えば第一挟持切断部６Ａと第二挟持切断部６Ｂとを同じ用途に合わせた同構造とし、例えば双方とも枝切り用としたり、双方とも剪定用としたりすることができ、この場合、仮に一方の挟持切断部を使用していて切れ味が悪くなったり、刃が欠けたりした際には、開閉操作部７を反転させるだけで作業を中断する事無く直ちに他方の挟持切断部に切り替えることで良好な作業が行えることになり、また、例えば第一挟持切断部６Ａと第二挟持切断部６Ｂとが同構造でなく、例えば一方を枝切り用として他方を剪定用とした場合、庭の手入れ作業時に複数の種類の鋏を持つ必要がなく、開閉操作部７を反転させるだけで枝切り作業と剪定作業が迅速に行えることになるから、非常に作業性に秀れることになり（例えば剪定中であっても枝を切りたい場面が生じることは多々あり、その都度複数の鋏を使い分けていたのでは非常に作業性が悪い。）、前述した従来からの問題点を確実に解消することができる。
【００１６】
【実施例】
本発明の具体的な実施例について図面に基づいて説明する。
【００１７】
本実施例は、一対の棒状部材１，２夫々の先端部同士を枢着して成る開閉操作部７と、この開閉操作部７の先端枢着部３よりも先端側に突出状態となり、開閉操作部７の開閉操作により作動する挟持切断部６とから成るものである。尚、本実施例は、枝切り機能と剪定機能とを具備した植物切断用の鋏（工具）として構成したが、例えば紙切り用の鋏やワイヤー切断用の鋏など本実施例の特性を発揮し得る構成であれば適宜採用し得るものである。
【００１８】
開閉操作部７は、図１，２に図示したように適宜な金属製の棒状部材１，２で構成され、この棒状部材１，２夫々の基端部には樹脂製のグリップ８が被嵌されている。
【００１９】
この棒状部材１，２は、夫々の先端部同士を軸杆９を介して重合枢着されている。
【００２０】
具体的には、棒状部材１，２は、図３，４に図示したように夫々先端部に一対の板部１ａ，２ａから成る凹状部１３，１４が形成されており、この凹状部１３，１４夫々の板部１ａ，２ａには軸杆９を嵌挿し得る貫通孔１ａ’，２ａ’が形成され、この貫通孔１ａ’，２ａ’同士が合致するように凹状部１３，１４夫々の板部１ａ，２ａを重合させ、この状態で貫通孔１ａ’，２ａ’に軸杆９を嵌挿させることで棒状部材１，２の先端部同士は枢着されている。
【００２１】
従って、開閉操作部７は、この先端枢着部３を支点に開放方向及び閉塞方向に相対回動し得ることになり、そして、グリップ８を握持して棒状部材１，２のいずれか一方若しくは双方を開放方向に相対回動させることで、刃板４，５はそのままの状態で反転し得ることになる（図６〜９参照）。具体的には、この開閉操作部７の反転操作は、先端枢着部３を支点に一方の棒状部材１の一側に位置している他方の棒状部材２を他側に位置するまで相対回動させることで反転させたり、或いは、先端枢着部３を支点に棒状部材１，２を相対回動させつつ手の中でグリップ８を回転させることで棒状部材１，２夫々の表裏が入れ替わるようにして反転させたりすることができる。
【００２２】
また、棒状部材１，２は、後述する挟持切断部６を構成する刃板４，５夫々に連結されるコイルバネから成る付勢体１０により、棒状部材１，２同士の最大閉塞位置から所定開放角度位置までの間において開放付勢されるように構成されており、この付勢体１０に抗してグリップ８を内方に回動（閉じ回動）させると挟持切断部６は挟持切断作動することになる。また、この付勢力は、グリップ８を開放方向に相対回動させることで棒状部材１，２を反転させた状態においても、その開放付勢機能が発揮されるように構成されている。
【００２３】
また、棒状部材１，２は、その開放方向への相対回動を阻止する回動阻止機構が設けられている。
【００２４】
具体的には、一方の棒状部材１の正面位置に突起１２が設けられ、他方の棒状部材２の正面位置に該突起１２に係止する鉤状部１１ａを有する係止部材１１が枢着されており、前述した付勢体１０の付勢に抗してグリップ８を閉塞方向に回動させ、挟持切断部６が完全に閉じた状態において係止部材１１を突起１２に係止させることができ、よって、不使用時に挟持切断部６を閉じた状態で保持し得るように構成されている。また、回動阻止機構は、開閉操作部７を反転させた状態においても確実に回動阻止機能を発揮し得るように構成されている。
【００２５】
また、開閉操作部７は、その先端部に棒状部材１，２夫々の凹状部１３，１４同士を重合させることで刃板配設空間Ｓが形成される構成であり、この刃板配設空間Ｓには挟持切断部６を構成する一対の刃板４，５が配設されている。
【００２６】
この刃板４，５は、図３〜５に図示したように適宜な金属製の部材を形成したものであり、夫々その中央部には前述した軸杆９を嵌挿し得る孔４ｃ，５ｃが形成されており、この刃板４，５同士をＸ字状態に交叉させて孔４ｃ，５ｃ同士を合致させ、この状態で先端枢着部３に係る軸杆９を嵌挿させることで板４，５同士は枢着連結されることになる。
【００２７】
この刃板４，５の一端部及び他端部夫々の内側縁部には、刃縁４ａ，４ｂ，５ａ，５ｂが形成されており、この対向する各刃縁４ａ，４ｂ，５ａ，５ｂにより挟持切断部６が構成され、具体的には、開閉操作部７に係る先端枢着部３に枢着することで該先端枢着部３から放射方向に突出状態に形成される刃板４，５夫々の一端部が第一挟持切断部６Ａとして構成され、刃板４，５夫々の他端部が第二挟持切断部６Ｂとして構成されている。尚、本実施例では、第一挟持切断部６Ａと第二挟持切断部６Ｂとを異なる用途に応じた形状としており、即ち、第一挟持切断部６Ａに係る刃縁４ａ，５ａは枝切り用の鋏を構成する巾広タイプであり、第二挟持切断部６Ｂに係る刃縁４ｂ，５ｂは剪定用の鋏を形成する巾細タイプである。
【００２８】
また、刃板４，５は、先端枢着部３で枢着された際、その先後両端部が棒状部材１，２夫々の凹状部１３，１４内で干渉しない長さに設定されており、前述した開閉操作部７を反転させた際には、先端枢着部３よりも先端側に位置していた第一挟持切断部６Ａが後端側に位置し、一方、先端枢着部３よりも後端側に位置していた第二挟持切断部６Ｂが先端側に位置する。その後、開閉操作部７を戻り反転させた際には、第一挟持切断部６Ａが先端枢着部３よりも先端側に位置し、第二挟持切断部６Ｂが先端枢着部３よりも後端側に位置することになる。
【００２９】
従って、開閉操作部７を反転させることで先端枢着部３よりも先端側に突出状態となる挟持切断部６（第一挟持切断部６Ａ及び第二挟持切断部６Ｂ）を切り替え操作できるように構成されている。
【００３０】
また、刃板４，５により形成される第一挟持切断部６Ａ及び第二挟持切断部６Ｂは、常時開放方向に付勢されている。
【００３１】
具体的には、刃板４，５夫々の一側部の外側縁部間及び刃板４，５夫々の他側部の外側縁部間には、夫々コイルバネから成る付勢体１０が架設されており、よって、第一挟持切断部６Ａを構成する刃板４，５夫々の一端部は付勢体１０の縮み付勢により常時開放方向（外方向）に付勢されるとともに、第二挟持切断部６Ｂを構成する刃板４，５夫々の他端部は付勢体１０の縮み付勢により常時開放方向（外方向）に付勢されている。
【００３２】
また、刃板４，５夫々の一側部の外側縁部及び他側部の外側縁部には凹部４ｄ，５ｄが設けられており、この凹部４ｄ，５ｄは、棒状部材１，２の先端部にして凹状部１３，１４に設けた杆部材１５に係止し得るように構成されており、前述した刃板４，５間に設けられた付勢体１０の付勢力がこの杆部材１５を介して棒状部材１，２を開放方向に付勢するように構成されている。
【００３３】
本実施例は上述のように構成したから、使用に際し、開閉操作部７を開閉操作することで挟持切断部６（第一挟持切断部６Ａ及び第二挟持切断部６Ｂ）により被切断物を切断することができる。
【００３４】
また、必要に応じて開閉操作部７を反転させることで、第一挟持切断部６Ａ若しくは第二挟持切断部６Ｂが先端枢着部３よりも先端側に突出状態となるように切り替えて使用することができる。
【００３５】
よって、本実施例によれば、一本で開閉操作部７を反転させるだけで枝切り作業と剪定作業が迅速に行えることになるから、非常に作業性に秀れることになり、しかも、簡易構造故にコスト安にして量産性に秀れることになる。
【００３６】
尚、本発明は、本実施例に限られるものではなく、各構成要件の具体的構成は適宜設計し得るものである。
【００３７】
【発明の効果】
本発明は上述のように構成したから、開閉操作部を反転させるだけで複数の挟持切断部（第一挟持切断部及び第二挟持切断部）が簡易且つ迅速に得られることになり、非常に使い勝手に秀れるなど極めて商品価値の高い画期的な鋏となる。
【００３８】
また、請求項２〜５記載の発明においては、非常に使い勝手に秀れることになり、しかも、簡易構造故にコスト安にして量産性に秀れるなど極めて商品価値の高い画期的な鋏となる。
【００３９】
また、請求項６記載の発明においては、用途の異なる複数の鋏を用意する必要がなく非常に使い勝手に秀れるなど極めて商品価値の高い画期的な鋏となる。
【図面の簡単な説明】
【図１】本実施例を示す正面図である。
【図２】本実施例を示す正面図である。
【図３】本実施例に係る要部の分解斜視図である。
【図４】本実施例に係る要部の斜視図である。
【図５】本実施例に係る要部の平断面図である。
【図６】本実施例の反転前の状態を示す説明図である。
【図７】本実施例の概略動作説明図である。
【図８】本実施例の概略動作説明図である。
【図９】本実施例の反転後の状態を示す説明図である。
【符号の説明】
１  棒状部材
２  棒状部材
３  先端枢着部
４  刃板
４ａ  刃縁
４ｂ  刃縁
５  刃板
５ａ  刃縁
５ｂ  刃縁
６  挟持切断部
６Ａ  第一挟持切断部
６Ｂ  第二挟持切断部
７  開閉操作部
【図１】
2004313594.tif 000003
【図２】
2004313594.tif 000004
【図３】
2004313594.tif 000005
【図４】
2004313594.tif 000006
【図５】
2004313594.tif 000007
【図６】
2004313594.tif 000008
【図７】
2004313594.tif 000009
【図８】
2004313594.tif 000010
【図９】
2004313594.tif 000011